(57)【要約】【課題】  移動することが可能な放送受信装置が他の放送地域へ移動した場合、選局画面上での放送局を代表する選局用情報の配置が、移動前の放送局の系列と異なって表示されるため選局しづらい。【解決手段】  モニタ１１１は、番組を選局するために、放送局を代表する選局用情報を配置した選局画面を表示する。コントローラは前記選局用情報の配置に対応した位置に配設された操作ボタンを有し、この操作ボタンを操作することにより番組を選局するための指示をする。チューナ部１０２は、コントローラからの指示に応じた番組を選局する。メモリ１０８は、第１および第２の受信エリアにおける放送局の系列に関する情報を記憶する。制御手段１１０は、表示手段に対して、前記放送局の系列に関する情報を用いることにより第１の受信エリアから前記第１とは異なる第２の受信エリアに移動した際に同じ系列局については同じ位置に配置して表示させる。【選択図】      図１
2006157719.tif 000002
【特許請求の範囲】
【請求項１】
テレビジョン放送による番組を選局するために、再生された映像，テキスト，図形，画像の内少なくともいずれか１つから構成される放送局を代表する選局用情報を配置した選局画面を表示する表示手段と、
前記選局用情報の配置に対応した位置に配設された操作ボタンを有し、この操作ボタンを操作することにより前記テレビジョン放送による番組を選局するための指示をするコントローラと、
テレビジョン放送を受信し、前記コントローラからの指示に応じた番組を選局する選局手段と、
第１および第２の受信エリアにおける放送局の系列に関する情報を記憶するための記憶手段と、
前記表示手段に対して、前記放送局の系列に関する情報を用いることにより第１の受信エリアから前記第１とは異なる第２の受信エリアに移動した際に同じ系列局については同じ位置に配置して表示させる制御手段とを備えたことを特徴とする放送受信装置。
【請求項２】
前記制御手段は、前記放送局の系列に関する情報を用いることにより、前記移動した際に第１の受信エリアには存在していたが第２のエリアには同じ系列として存在しない放送局については空いている位置に配置して表示させることを特徴とする請求項１記載の放送受信装置。
【請求項３】
前記表示手段は、前記選局用情報として現在放送されている番組を選局するための情報であり、少なくとも対応する前記コントローラのキーの情報を表示することを特徴とする請求項１または２記載の放送受信装置。
【請求項４】
前記表示手段は、前記選局用情報として番組に関連する放送局名，番組タイトル，時間情報の少なくともいずれか１つを表示することを特徴とする請求項１または２記載の放送受信装置。
【請求項５】
第１の受信エリアを基本エリアとして設定する手段と、
前記無線通信機能により第２の受信エリアに移動したことを検出する検出手段と、
前記記憶手段が前記第２の受信エリアにおける前記放送局の系列に関する情報を記憶していなければ前記線通信機能によりサーバから取得し前記記憶手段に記憶させる手段を備えたことを特徴とする請求項１乃至4のいずれか１項に記載の放送受信装置。
【請求項６】
更にジャンルからの選局、お好みキーワードにマッチした番組からの選局、視聴傾向に基づくデータからの選局にも用いることを特徴とする請求項１乃至５のいずれか１項に記載の放送受信装置。
【発明の詳細な説明】
【技術分野】
【０００１】
この発明は、放送受信装置に関する。
【背景技術】
【０００２】
放送受信装置では、ディスプレイにＥＰＧ（電子番組表）画面を表示して番組情報を確認することができるようになっている。また、デジタル放送ではデータ放送機能も充実しており、表示された画面のページ送りや選択など、視聴者がリモートコントローラから入力する情報が多い。このようなＥＰＧによる番組ガイドによる選局時、番組ガイドの配置とリモートコントローラのボタンとの配置を同じ配置とすることにより選局し易くする技術が知られている（例えば、特許文献１参照）。
【０００３】
また、地上デジタル放送では携帯端末向けの１セグメント放送が規格化されており、例えば専用受信端末や携帯電話に実装され移動体でのテレビ番組視聴が可能となる。このように移動することが可能な放送受信装置が他の放送地域へ移動した場合、選局画面上での放送局を代表する選局用情報の配置が、移動前の放送局の系列と異なって表示されるため選局しづらいという問題があった。
【特許文献１】特開２００３−１８４８７公報（第６図、第７図）
【発明の開示】
【発明が解決しようとする課題】
【０００４】
上記した通り、放送受信装置が他の放送地域へ移動した場合、選局画面上での放送局を代表する選局用情報の配置が、移動前の放送局の系列と異なって表示されるため選局しづらいという問題があった。
【０００５】
本発明は、上記問題に鑑みてなされたもので、選局画面上での放送局を代表する選局用情報の配置とリモートコントローラのボタンの配置を同じ配置とすると共に、更に、異動して異なる地域で受信したとしても選局画面上での放送局を代表する選局用情報の配置を移動前の放送局の系列と同じとすることにより、例え受信地域が変わったとしても、より選局し易い放送受信装置を提供することを目的とする。なお、配置を移動前の放送局の系列と同じとは、例えば１対１に対応させても良いし、１：ｎ（ｎは自然数）やｎ：１に対応させてもよい。
【課題を解決するための手段】
【０００６】
上記の目的を達成するために、この発明においては、テレビジョン放送による番組を選局するために、再生された映像，テキスト，図形，画像の内少なくともいずれか１つから構成される放送局を代表する選局用情報を配置した選局画面を表示する表示手段と、前記選局用情報の配置に対応した位置に配設された操作ボタンを有し、この操作ボタンを操作することにより前記テレビジョン放送による番組を選局するための指示をするコントローラと、テレビジョン放送を受信し、前記コントローラからの指示に応じた番組を選局する選局手段と、第１および第２の受信エリアにおける放送局の系列に関する情報を記憶するための記憶手段と、前記表示手段に対して、前記放送局の系列に関する情報を用いることにより第１の受信エリアから前記第１とは異なる第２の受信エリアに移動した際に同じ系列局については同じ位置に配置して表示させる制御手段とを備えたことを特徴とする放送受信装置を提供する。
【０００７】
なお、装置に係る本発明は方法に係る発明としても成立し、方法に係る本発明は装置に係る発明としても成立する。
【発明の効果】
【０００８】
この発明によれば、選局画面上での放送局を代表する選局用情報の配置とリモートコントローラのボタンの配置を同じ配置とすると共に、更に、異動して異なる地域で受信したとしても選局画面上での放送局を代表する選局用情報の配置を移動前の放送局の系列と同じとすることにより、例え受信地域が変わったとしても、より選局しやすい放送受信装置を得ることができる。
【発明を実施するための最良の形態】
【０００９】
以下、図面を参照しながら本発明の実施の形態について説明する。なお、本発明は以下に挙げる実施形態に限定されるものではなく、種々組み合わせて用いることができる。
【００１０】
図１は、本発明の一実施形態に係る放送受信装置１０１の構成を示すブロック図である。
図１において、放送受信装置１０１は、チューナ部１０２、映像音声処理部１０３、表示処理部１０４、ＥＰＧ情報抽出部１０６、表示画面生成部１０７、メモリ１０８、入力手段１０９、制御手段１１０、モニタ１１１、無線通信部１１２、音声通話部１１３及びデータ通信部１１４を有している。
【００１１】
チューナ部１０２は、入力手段１０９で入力される情報に基づく制御手段１１０の制御によって衛星放送や地上波放送から所望所定の番組を選局したＴＳストリームデータを映像音声処理部１０３およびＥＰＧ情報抽出部１０６へ出力する。
【００１２】
映像音声処理部１０３は、エンコードされた映像信号および音声信号をデコードして表示処理部１０４へ出力する。
表示処理部１０４は、モニタ１１１に表示するための例えばＯＳＤ処理を行い、この処理した番組やＥＰＧ画面の信号をモニタ１１１へ出力する。この表示処理部１０４は、映像音声処理部１０３と表示画面生成部１０７との出力を選択的に切り替えて出力してもよいし、映像音声処理部１０３からの出力画面上に表示画面生成部１０７からの出力画面を重ねて表示するようにしてもよい。
【００１３】
ＥＰＧ情報抽出部１０６は、放送信号に多重され送られチューナ１０２によって抽出された番組情報（番組のタイトルや出演者、内容等の番組に関する情報）を共通バス上へ流す。
【００１４】
表示画面生成部１０７は、ＥＰＧ情報抽出部１０６から共通バスを介して受け取った番組情報から画面構成してＥＰＧ画面を生成して表示処理部１０４へ出力する。
メモリ１０８は、共通バスに接続されており、地域情報，放送局の系列に関する情報を含み放送地域毎にどの放送局による放送が行われているかを示すチャンネルマップ，ＥＰＧ表示設定の情報を記憶する。
【００１５】
入力手段１０９は、ユーザにより操作された指示を受け取り制御手段１１０へ渡す。
制御手段１１０は、放送受信装置１０１全体を制御する。この制御により表示画面生成部１０７で生成した表示画面を表示処理部１０４を介してモニタ１１１に表示させる。
【００１６】
モニタ１１１は、表示処理部１０４により処理された表示信号を表示する。
無線通信部１１２、音声通話部１１３、データ通信部１１４は、例えば携帯電話のモジュールである。
無線通信部１１２は、各キャリアに対応した通信手段を備える。
音声通話部１１３は、音声通信を行うための処理を行う。
データ通信部１１４は、ＷＥＢ閲覧等のデータ通信を行うための処理を行う。
次に、このように構成された放送受信装置１０１の動作について説明する。
まず、チューナ部１０２により選局された番組の信号は映像音声処理部１０３で復号化されて表示処理部１０４での処理後、モニタ１１１に表示される。
次に、放送信号に多重されている番組情報（番組のタイトルや出演者、内容等の番組に関する情報）はＥＰＧ情報抽出部１０６で分離され、この分離された情報をもとに表示画面生成部１０７で画面構成して表示処理部１０４で映像音声処理部１０３の出力と切替もしくはＯＳＤ（オン・スクリーン・ディスプレイ）で表示される。
【００１７】
図２は本発明の放送受信装置１０１の外観の一例を示す図である。この例は、携帯電話の筐体内に地上デジタル放送の受信機能がついた形態である。
電話機能を実現するためのテンキー２０１、カーソルキー２０２、電源ＯＮ／ＯＦＦ等の制御ボタン２０３及び液晶等の表示機能であるモニタ１１１から構成されている。
【００１８】
例えば一つの制御キーがテレビスイッチとして割り当てられており、このキーを押すとテレビ機能が立ち上がる。
放送受信装置１０１は、選局時、表示機能２０４に対して神奈川県の放送エリア内では図３（ａ）に示すような表示を行い、大阪府の放送エリア内では図３（ｂ）に示すような表示を行う。このように放送受信装置１０１は、図３に示す選局用の１２個の領域と、図２に示す筐体に設けられたテンキー２０１の配置とを同じ配置とし、１対１に対応させて表示する。これは放送受信装置１０１内の制御手段１１０が、図７に示すメモリ１０８に記憶されたデータを用い、同じ放送局系列の放送局については、同じ位置に放送局を代表する選局用情報を配置して選局用の画面を生成する。なお、選局用の情報としては、再生された映像，テキスト，図形，画像の内少なくとも１つを用いて、番組に関連する放送局名，番組タイトル，時間情報（放送時刻情報または放送時間長の情報）を表していればよい。
【００１９】
図７は、マップ１が神奈川県の放送エリアで受信可能として考えられる放送局名を記憶しているデータであり、マップ２が大阪府の放送エリアで受信可能と考えられる放送局名を記憶しているデータである。例えば数字は初期スキャン時に取得したチャンネル割当の番号であり、アルファベットは工場出荷時或いはサーバから取得する放送局の系列関係を示す情報である。メモリ１０８には各放送エリアのチャンネルマップとして、工場出荷時或いは放送や通信サーバからの情報取得時にこれら放送局の系列、チャンネル番号等が対応付けて記録される。各エリア毎に実際に放送されているチャンネルに関する情報は上記初期スキャンにより取得されるが、別途工場出荷時や通信サーバからの取得により本来受信可能な放送局を設定できるようにしておくことも可能である。
【００２０】
そして選局用の１２個の各領域はテンキー２０１の制御とも対応しており、テンキー２０１に設けられている「５」のキーを押すと図３（ａ）では放送局名「テレビ朝日」が選局され、図３（ｂ）では「テレビ朝日」と同じ放送局系列である「朝日放送」が選局される。
【００２１】
放送エリア毎のチャンネル設定情報は、初めて放送受信装置１０１がその放送エリアで受信したときに初期スキャンをして得た受信可能なチャンネル及びチャンネル表示番号がメモリ１０８に格納される。メモリ１０８に上には複数のエリア毎にこのようなチャンネルマップが構成される。
【００２２】
例えば無線通信部１１２を介して得られる位置情報により現在受信機が現在置かれているエリアが特定される。このエリアのマップと基本マップ設定としているマップとの系列情報とを参照して、基本マップ設定となっているマップと同じ放送局の系列の位置に現在受信機が現在置かれているエリアの放送局を配置した選局用情報を表示する。
【００２３】
このように他の放送エリアで受信しても、これまで慣れ親しんだ地域でのマッピングによる選局表示が可能となり、より選局し易いという効果を得ることができる。
なお、上記の例では無線通信部１１２を介して得られる位置情報から現在のエリアを特定する例を示したが、ユーザーによるエリア情報の入力やＧＰＳを用いた位置情報の検出などを用いても良い。
【００２４】
次に、このときの放送受信装置１０１の動作を図４のフローチャートを用いて詳細に説明する。特に断らない限り、次の動作は制御部１１０による制御により動作が行われるものとする。
【００２５】
ステップＳ４０１では、放送受信装置１０１は、テレビ視聴を開始すると、まず無線通信機能によって現在の位置情報を取得し、ステップＳ４０２へ進む。この位置情報の取得については通信キャリア内のサーバから得てもよいし、或いはＧＰＳ機能を使って得てもよい。
【００２６】
ステップＳ４０２では、現在位置が属する放送エリアのチャンネルマップがメモリ１０８に記憶されているか否かをチェックする。ステップＳ４０２において、チャンネルマップが存在すればステップＳ４０４へ進み、存在しなければステップＳ４０３へ進む。
【００２７】
ステップＳ４０３では、無線通信機能によりサーバから当該エリアのチャンネルマップを取得しメモリ１０８に記憶し、ステップＳ４０４へ進む。
ステップＳ４０４では、当該エリア内のチャンネルマップに基づきチャンネル選局画面をモニタ１１１に表示し、次のステップＳ４０５へ進む。なお、このステップＳ４０４ではモニタ１１１に表示された１２個の各領域に１対１に対応された配置のキーが押されたときの動作制御情報が、それぞれ有効なキー設定のエリアに付随する情報として設定される。
【００２８】
ステップＳ４０５では、終了キーが押されるまでは以下のステップＳ４０６〜Ｓ４０８の処理を繰り返す。
ステップＳ４０６〜Ｓ４０８では、モニタ１１１に表示された１２個の各領域に関連したキーが入力されるとそのキーに設定された制御情報がある場合には制御情報に従って対応したチャンネルを選局し、モニタ１１１には選局された放送局の番組を表示する。
【００２９】
また、地上ディジタル放送は１３個のセグメントを任意に使用して複数の階層で放送を行うことができる。例えば１２セグメントで据置型受信機向けの高品位放送を行い、１セグメントで移動体向けの放送を行うといった運用が行われる。放送受信装置１０１としてはそのような複数の階層の放送を受信できる場合や移動体放送しか受信する能力はないが高品位放送を受信可能な受信装置のリモコンになることができる放送受信装置の場合、例えば同じエリアでも高品位放送は行っているが、移動体向けの放送は行っていない放送局がある場合に表示方法を変えることでその階層での放送を行っている放送局が容易に識別できるようになる。
【００３０】
さらに、キーの背面にはＬＥＤ等を設けて各キーを独立して発光可能としておき、選択可能なエリアに対応付けられたキーのみを発光させ、他のキーの発光させないようにしてもよい。こうすることで選局可能なキーを、キーの発光により識別することができる。
【００３１】
上記図３に示した例では、初期スキャンをして得た受信可能なチャンネルをメモリ１０８に格納したときに、受信できなかったチャンネルについても選局できるものとして選局用の表示を行った。しかし、これに代え、例えば大阪府で初期スキャンをした結果、京都放送が受信できなかったとする。このような場合には図５に示すように、「京都放送」をグレーアウトさせる等して選局できないようにしてもよい。グレーアウトにより表示させることにより、本来大阪府では「京都放送」が受信できることをユーザは知ることができる。
【００３２】
なお、神奈川県の受信エリアには存在していたが大阪府のエリアには同じ系列として存在しない放送局である「京都放送」については、残りの空いている位置、例えば図３や５の番号「９」、「＊」、「０」、「＃」に配置して表示させるようにしてもよい。
【００３３】
更にはチャンネルの選局のみならず、番組のジャンルからの選局や、お好みキーワードにマッチした番組からの選局、視聴傾向に基づくデータからの選局に用いてもよい。図６は本発明においてＥＰＧ画面を表示した例であり、同様に使用するテンキー配置に対応してエリアを切り分けた表示例を示している。これはＥＰＧ画面でジャンル表示を行った例であり、例えば「１」から「６」のキーに対応して６個の選択エリアが図６（ａ）に示すように表示される。
【００３４】
例えばジャンル「ドラマ」を視聴したい場合は、図６（ａ）の表示画面のときに「３」のキーを入力する。すると図６（ｂ）に示すように「１」から「６」のキーの配置に対応した領域にジャンル「ドラマ」に該当した番組の選局用の情報が表示される。この時点で例えば「２」のキーを押すと、「タイトル２」の番組が選局され表示される。このとき現在放送中であれば選局して表示し、そうでなければ予約動作を行う。
【００３５】
ここに表示される情報は画面サイズや解像度によって表示可能な範囲で設定され、さらに階層化して詳細情報を表示後に選択動作するようにしてもよい。
これにより、更にジャンルによる選局も行うことが可能となる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００３６】
なお、リモートコントローラは無線通信ではなく優先通信してもよい。
【図面の簡単な説明】
【００３７】
【図１】本発明の放送受信装置の構成を説明するためのブロック図。
【図２】本発明の放送受信装置の概観を説明するための図。
【図３】放送受信装置の表示画面の一例を示す図。
【図４】本発明の放送受信装置の動作を説明するためのフローチャート。
【図５】放送受信装置の表示画面の一例を示す図。
【図６】放送受信装置の表示画面の一例を示す図。
【図７】メモリ１０８が記憶するデータの一例を示す図。
【符号の説明】
【００３８】
１０１…放送受信装置、１０２…チューナ部、１０３…映像音声処理部、１０４…表示処理部、１０６…ＥＰＧ情報抽出部、１０７…表示画面生成部、１０８…メモリ、１０９…入力手段、１１０…制御手段、１１１…モニタ、１１２…無線通信部、１１３…音声通話部、１１４…データ通信部。
【図１】
2006157719.tif 000003
【図２】
2006157719.tif 000004
【図３】
2006157719.tif 000005
【図４】
2006157719.tif 000006
【図５】
2006157719.tif 000007
【図６】
2006157719.tif 000008
【図７】
2006157719.tif 000009